(57)【要約】【課題】フィルター清掃が容易で塵埃の流出を防止できる縦型電気掃除機を提供する。【解決手段】着脱自在のサイクロン集塵部３を備え、空気流入口３１ａを有して旋回気流によって分離された塵埃を貯溜する集塵容器３１と、集塵容器３１内に配されて集塵容器３１からの排気流が流通する内筒３５と、内筒３５の上方に配された弾性体から成るフィルター３３と、フィルター３３を着脱自在に収納して収納室４ｇの上壁に密着する傾斜面から成る上面に空気流出口３４ａを有するフィルターケース３４と、集塵容器３１の上面開口部を塞いで内筒３５を支持するとともにフィルターケース３４が内嵌される嵌合部３２ａを上部に形成した容器カバー３２と、容器カバー３２の後部に設けられてロック位置と非ロック位置との間を可動するとともにロック位置でフィルター３３の弾性力に抗してフィルターケース３４を下げた状態に維持するロック部材３６とを設けた。【選択図】図１１
2008161504.tif 000002
【特許請求の範囲】
【請求項１】
電動送風機を内装するとともに前記電動送風機に連通する連通孔を後方が下がる上壁に設けた収納室内にサイクロン集塵部を着脱自在に収納した本体部と、前記本体部の下方に配される吸込口体と、前記本体部から上方に延びて使用者が把持する把持部とを備えた縦型電気掃除機において、
前記サイクロン集塵部は、空気流入口を有して旋回気流によって分離された塵埃を貯溜する集塵容器と、前記集塵容器内に配されて前記集塵容器からの排気流が流通する内筒と、前記内筒の上方に配された弾性体から成るフィルターと、前記フィルターを着脱自在に収納して前記収納室の上壁に密着する傾斜面から成る上面に空気流出口を有するフィルターケースと、前記集塵容器の上面開口部を塞いで前記内筒を支持するとともに前記フィルターケースが内嵌される嵌合部を上部に形成した容器カバーと、前記容器カバーの後部に設けられてロック位置と非ロック位置との間を可動するとともにロック位置で前記フィルターの弾性力に抗して前記フィルターケースを下げた状態に維持するロック部材と、を有することを特徴とする縦型電気掃除機。
【請求項２】
前記フィルターケースは周面に突出する段部を後部に有し、前記ロック部材は前記段部の上面と摺接するスライド部材から成ることを特徴とする請求項１に記載の縦型電気掃除機。
【請求項３】
前記スライド部材は先端の下部が傾斜面から成ることを特徴とする請求項２に記載の縦型電気掃除機。
【請求項４】
前記フィルターケースの前面に凸部を設けるとともに前記容器カバーの前部の内面に凹部を形成し、前記ロック部材をロック位置に配した際に前記フィルターケースが前進して前記凸部が前記凹部に嵌合することを特徴とする請求項１〜請求項３のいずれかに記載の縦型電気掃除機。
【請求項５】
前記収納室の背面に非ロック位置の前記ロック部材が当接して前記サイクロン集塵部の収納を妨げるリブを設けたことを特徴とする請求項１〜請求項４のいずれかに記載の縦型電気掃除機。
【請求項６】
前記収納室の上壁にパッキンを設けたことを特徴とする請求項１〜請求項５のいずれかに記載の縦型電気掃除機。
【発明の詳細な説明】
【技術分野】
【０００１】
本発明は、電動送風機及びサイクロン集塵部を内装した本体部の下方に吸込口体を有する縦型電気掃除機に関する。
【背景技術】
【０００２】
従来の縦型電気掃除機は特許文献１に開示されている。この縦型電気掃除機は電動送風機を内装する本体部の下方に吸込口体が配される。本体部には着脱自在の延長パイプが上方に延びて装着され、延長パイプの上部に把持部が設けられる。これにより、把持部を把持して吸込口体を本体部とともに移動して掃除することができる。
【０００３】
本体部の前部にはサイクロン集塵部が着脱自在に設けられる。サイクロン集塵部は空気流入口を有する筒状の集塵容器を備え、集塵容器の上部に空気流出口を有するフィルターケースが配される。フィルターケース内の上部にはフィルターが一体に設けられ、内筒を有する容器カバーがフィルターの下方に螺設される。フィルターケースの装着によって集塵容器の上面開口部が容器カバーにより塞がれ、内筒が集塵容器の軸上に配される。
【０００４】
集塵容器に流入した塵埃を含む空気は集塵容器内を旋回し、遠心力により塵埃を分離して集塵容器内に貯溜する。塵埃が分離された空気は内筒を流通してフィルターにより微細な塵埃が捕集され、空気流出口から流出する。これにより、吸込気流に含まれる塵埃を捕集することができる。
【０００５】
【特許文献１】特開２００６−１５８７４２号公報（第２頁−第８頁、第３図）
【発明の開示】
【発明が解決しようとする課題】
【０００６】
上記従来の縦型電気掃除機によると、サイクロン集塵部はフィルターケースに容器カバーを螺合することによりフィルターと容器カバーとの間が密着される。これにより、内筒を流通する微細な塵埃の流出が防止される。
【０００７】
フィルターは塵埃が堆積すると目詰まりするため定期的に清掃する必要がある。この時、フィルターケースに螺設される容器カバーを数回回して取外し及び取り付けが行われるため作業が煩雑になる問題があった。また、フィルターケースに容器カバーを取り付けた際に螺合量が少ないとフィルターと容器カバーとの間に隙間が生じて塵埃が流出する問題もあった。
【０００８】
本発明は、フィルターを容易に清掃できるとともに簡単な構成で塵埃の流出を防止できる縦型電気掃除機を提供することを目的とする。
【課題を解決するための手段】
【０００９】
上記目的を達成するために本発明は、電動送風機を内装するとともに前記電動送風機に連通する連通孔を後方が下がる上壁に設けた収納室内にサイクロン集塵部を着脱自在に収納した本体部と、前記本体部の下方に配される吸込口体と、前記本体部から上方に延びて使用者が把持する把持部とを備えた縦型電気掃除機において、
前記サイクロン集塵部は、空気流入口を有して旋回気流によって分離された塵埃を貯溜する集塵容器と、前記集塵容器内に配されて前記集塵容器からの排気流が流通する内筒と、前記内筒の上方に配された弾性体から成るフィルターと、前記フィルターを着脱自在に収納して前記収納室の上壁に密着する傾斜面から成る上面に空気流出口を有するフィルターケースと、前記集塵容器の上面開口部を塞いで前記内筒を支持するとともに前記フィルターケースが内嵌される嵌合部を上部に形成した容器カバーと、前記容器カバーの後部に設けられてロック位置と非ロック位置との間を可動するとともにロック位置で前記フィルターの弾性力に抗して前記フィルターケースを下げた状態に維持するロック部材と、を有することを特徴としている。
【００１０】
この構成によると、電動送風機を内装する本体部の下方に吸込口体が配される。本体部から上方に延びる把持部を把持して吸込口体を本体部とともに移動して掃除が行われる。サイクロン集塵部は後方が下がる収納室の上壁に上面が密着して収納室内に収納される。集塵容器の上面は内筒及び嵌合部を有する容器カバーで覆われ、嵌合部にフィルターカバーが内嵌される。フィルターカバーはフィルターを押し下げた状態でロック部材によってロックされる。吸込口体から吸い込まれる空気は集塵容器に流入して旋回し、遠心力により塵埃を分離して集塵容器内に貯溜する。塵埃が分離された空気は内筒を流通してフィルターにより微細な塵埃が捕集され、空気流出口から流出する。空気流出口から流出した空気は収納室の連通孔を介して電動送風機に導かれて排気される。
【００１１】
また本発明は、上記構成の縦型電気掃除機において、前記フィルターケースは周面に突出する段部を後部に有し、前記ロック部材は前記段部の上面と摺接するスライド部材から成ることを特徴としている。
【００１２】
また本発明は、上記構成の縦型電気掃除機において、前記スライド部材は先端の下部が傾斜面から成ることを特徴としている。この構成によると、ロック部材は非ロック位置からロック位置に移行する際にスライド部材の傾斜面が段部と摺動する。これにより、フィルターが下方に押し下げられる。
【００１３】
また本発明は、上記構成の縦型電気掃除機において、前記フィルターケースの前面に凸部を設けるとともに前記容器カバーの前部の内面に凹部を形成し、前記ロック部材をロック位置に配した際に前記フィルターケースが前進して前記凸部が前記凹部に嵌合することを特徴としている。
【００１４】
また本発明は、上記構成の縦型電気掃除機において、前記収納室の背面に非ロック位置の前記ロック部材が当接して前記サイクロン集塵部の収納を妨げるリブを設けたことを特徴としている。この構成によると、ロック部材は非ロック位置に配置されるとリブに当接してサイクロン集塵部を収納することができない。ロック部材をロック位置に配置するとリブとロック部材が干渉せずサイクロン集塵部を収納することができる。
【００１５】
また本発明は、上記構成の縦型電気掃除機において、前記収納室の上壁にパッキンを設けたことを特徴としている。この構成によると、パッキンによって収納室の上壁とサイクロン集塵部の上面との間が密閉される。
【発明の効果】
【００１６】
本発明によると、サイクロン集塵部を収納室内に収納したので縦型電気掃除機の美感が向上する。また、連通孔を有する収納室の上壁と、空気流出口を有するサイクロン集塵部の上面とは後方が下がる傾斜面から成る。このため、両者間の摺動摩擦が発生せずにサイクロン集塵部を着脱し、収納完了時にこれらを密着させることができる。従って、サイクロン集塵部を容易に着脱することができる。
【００１７】
加えて、フィルターの弾性力に抗してフィルターケースを下げた状態に維持するロック部材を容器カバーの後部に設けたので、フィルターと容器カバーとを簡単に密着して塵埃の流出を防止することができる。これにより、フィルターを清掃する際にフィルターケースの着脱を容易に行うことができ、縦型電気掃除機の利便性が向上する。また、ロック部材によりフィルターケースの後部を下げて容易にサイクロン集塵部を収納室に挿入することができるとともに、ロック部材が露出せず美観の低下を防止することができる。
【００１８】
また本発明によると、フィルターケースの後部周面に突出する段部に摺接するスライド部材によってロック部材を簡単に実現することができる。
【００１９】
また本発明によると、スライド部材の先端が傾斜面から成るので、スライド部材のスライドによってフィルターケースを容易に下げることができる。
【００２０】
また本発明によると、ロック部材をロック位置に配した際にフィルターケースが前進して前面の凸部が容器カバーの凹部に嵌合するので、フィルターケースの前部を下げた状態に維持してフィルターの前部と容器カバーとの密着性をより向上することができる。
【００２１】
また本発明によると、収納室の背面に非ロック位置のロック部材が当接してサイクロン集塵部の収納を妨げるリブを設けたので、フィルターケースの装着忘れを防止することができる。
【００２２】
また本発明によると、収納室の上壁にパッキンを設けたので、サイクロン集塵部の空気漏れをより確実に防止することができる。
【発明を実施するための最良の形態】
【００２３】
以下に本発明の実施形態を図面を参照して説明する。図１は一実施形態の縦型電気掃除機を示す斜視図である。縦型電気掃除機１は電動送風機２及びサイクロン集塵部３（いずれも図３参照）を内装する本体部４を備えている。本体部４の下方には床面に面した吸気口を有する吸込口体５が設けられ、本体部４は吸込口体５に対して傾倒可能になっている。
【００２４】
本体部４の上方には着脱自在の延長パイプ６が鉛直方向に延びて配される。延長パイプ６の上部には使用者が把持する把持部８が設けられる。延長パイプ６の一端には可動部９が設けられ、可動部９と本体部４との間は伸縮自在の接続ホース７で連結される。これにより、延長パイプ６と本体部４内の電動送風機２とが連通する。
【００２５】
図２、図３はそれぞれ縦型電気掃除機１の正面図及び側面断面図を示している。本体部４内には電動送風機２の下方にサイクロン集塵部３が連通して配される。吸込口体５とサイクロン集塵部３とは本体部４に設けた気流路４ａにより連通する。サイクロン集塵部３は本体部４の収納室４ｇに収納され、旋回気流により塵埃を分離するサイクロン式になっている。サイクロン集塵部３の前面は上下に分割される前面パネル３ａを有し、上部の前面パネル３ａに設けた把手３ｂを把持して着脱可能になっている。収納室４ｇの上壁は後方が下がる傾斜面から成り、電動送風機２に連通する連通孔（不図示）が形成されている。
【００２６】
本体部４の後部には上面を開口してサイクロン集塵部３に連通する気流路４ｂが設けられる。気流路４ｂの上端には接続ホース７の下端が嵌合する下支持部４ｃが形成される。下支持部４ｃによって接続ホース７の下部が略鉛直に支持される。接続ホース７の上端は延長パイプ６に取り付けられた可動部９に形成される上支持部９ａに嵌合される。
【００２７】
可動部は軸部９ｂで回動自在に支持され、上支持部９ａにより接続ホース７の上部が略鉛直に支持される。上支持部９ａは軸方向に分割され、上部に対して下部が接続ホース７の軸方向を回動軸として回動自在に支持される。また、接続ホース７には電源コード（不図示）を掛止する掛止部２０が設けられる。延長パイプ６に設けたフック６ｆに掛止部２０を係止して収納時に接続ホース７を保持できるようになっている。
【００２８】
電動送風機２と気流路４ｂとの間には本体部４の上面を開口する延長パイプ収納部４ｆが設けられる。延長パイプ収納部４ｆには延長パイプ６の先端部分が収納され、フック１１の操作によって図４に示すように本体部４から延長パイプ６が脱着可能になっている。
【００２９】
また、延長パイプ６はフック１２の操作によって図５に示すように下部６ａと上部６ｂに分割可能になっている。下部６ａには貫通孔から成る気流路６ｄが形成され、気流路６ｄ内に吸気口（不図示）を有した伸長パイプ６ｃが配される。延長パイプ６を本体部４から脱着した際に延長パイプ６の先端から伸長パイプ６ｃを引き出して延長パイプ６を伸長することができる。
【００３０】
把持部８が設けられる上部６ｂには貫通孔から成る気流路６ｅが形成される。気流路６ｅの上端と可動部９の上支持部９ａとが可動部９に挿通される中間ホース１０により連結される。中間ホース１０は接続ホース７よりも軟質の樹脂から成り、蛇腹に形成されて可撓性を有している。これにより、延長パイプ６に対して回動する可動部９に中間ホース１０が追随して延長パイプ６と接続ホース７との連結を維持することができる。
【００３１】
図６、図７、図８はサイクロン集塵部３の斜視図、分解斜視図及び側面断面図を示している。また、図９は図２のＣ−Ｃ断面図を示している。サイクロン集塵部３は集塵容器３１、容器カバー３２、フィルター３３、フィルターケース３４及び内筒３５を有している。フィルター３３、フィルターケース３４及び内筒３５は容器カバー３２と一体化され、集塵容器３１に対して着脱可能になっている。図１０は集塵容器３１と容器カバー３２とを分離した状態を示す背面図である。
【００３２】
集塵容器３１は空気流入口３１ａを有し、旋回気流によって分離された塵埃を貯溜する。容器カバー３２は集塵容器３１の上面開口部を塞ぎ、上部にフィルターケース３４を内嵌する嵌合部３２ａを有している。フィルター３３はスポンジ状等に形成される弾性体から成り、微細な塵埃を捕集する。
【００３３】
フィルターケース３４はフィルター３３を収納し、ツマミ３３ａの把持によりフィルター３３が着脱自在になっている。フィルターケース３４の上面は収納室４ｇ（図３参照）の上壁と同じ傾斜で後方が下がり、空気流出口３４ａが設けられる。収納室４ｇの上壁に形成される連通孔の周囲にはパッキン（不図示）が設けられる。サイクロン集塵部３を収納室４ｇに収納した際にパッキンに空気流出口３４ａの周縁が密接して空気漏れが防止されるようになっている。内筒３５は周面に排気口３５ａを有して容器カバー３２の下面に取り付けられ、容器カバー３２を集塵容器３１に取り付けた際に集塵容器３１の軸上に配される。
【００３４】
図９に示すように、フィルターケース３４の後部には軸部４０ａで軸支されるレバー部材４０が設けられる。レバー部材４０はフィルター３３の脱着時に下方に突出し、フィルター３３の装着時に回動して上方に退避する。これにより、フィルター３３の未装着時にレバー部材４０が嵌合部３２ａの底面に当接し、フィルターケース３４を嵌合部３２ａに正常に挿入できないようになっている。
【００３５】
容器カバー３２の嵌合部３２ａの後部には略周方向にスライド移動するスライド部材から成るロック部材３６が設けられる。図１１はロック部材３６を正面に見たサイクロン集塵部３の背面図を示している。また、図１２は図９のＤ−Ｄ断面図を示している。フィルターケース３４の周面には段部３４ｂが突設されている。ロック部材３６は外側に突出するツマミ３６ａを有し、ツマミ３６ａの操作によって段部３４ｂの上面と摺接してスライドする。
【００３６】
図１１、図１２に示すようにロック部材３６が段部３４ｂから離れた非ロック位置に配されると、フィルターケース３４を嵌合部３２ａに対して着脱可能になっている。図１３、図１４に示すようにロック部材３６がスライドして段部３４ｂと係合するロック位置に配されると、フィルターケース３４が嵌合部３２ａに保持される。
【００３７】
ロック部材３６の段部３４ｂに近い側の先端は下部に傾斜面３６ｂが形成される。フィルターケース３４を嵌合部３２ａに挿入すると、嵌合部３２ａの底面に突設される環状のリブ３２ｂ（図８参照）上にフィルター３３が載置される。この時、非ロック位置のロック部材３６は段部３４ｂとの摺接面が段部３４ｂよりも上方に配される。
【００３８】
ロック部材３６の先端が傾斜面３６ｂから成るため、フィルターケース３４を押し下げながら簡単にロック部材３６をロック位置にスライドさせることができる。これにより、ロック部材３６はロック位置でフィルター３３の弾性力に抗してフィルターケース３４を下げた状態に維持し、リブ３２ｂとフィルター３３とを密着することができる。
【００３９】
また、段部３４ｂは前方が上がる傾斜面に形成され、ロック部材３６が摺動してロック位置に配されることによってフィルターケース３４が前進する。図１５は図８のＢ部詳細図を示している。フィルターケース３４の前面には凸部３４ｃが形成されている。嵌合部３２ａの前面側には凸部３４ｃに対向する貫通孔から成る凹部３２ｃが形成されている。
【００４０】
ロック部材３６が非ロック位置からロック位置に移動するとフィルターケース３４が前進し、図１６に示すように凸部３４ｃが凹部３２ｃに嵌合する。これにより、フィルターケース３４の前部を下げた状態に維持し、リブ３２ｂとフィルター３３とをより確実に密着することができる。図１４における左方が後方になるように傾斜したリブを段部３４ｂ上に立設し、ロック部材３６がスライド時に該リブと摺動してフィルターケース３４を前進させるようにしてもよい。
【００４１】
凸部３４ｃの上部は垂直断面が円弧状に形成された傾斜面になっている。このため、フィルター３３の弾性力で凹部３２ｃよりも上方に配される凸部３４ｃを容易に凹部３２ｃに嵌合させることができる。
【００４２】
また、本体部４の収納室４ｇ（図３参照）の背面には非ロック位置のロック部材３６のツマミ３６ａが当接し、ロック位置では当接しないリブ（不図示）が設けられている。これにより、フィルターケース３４の未装着時にロック部材３６のツマミ３６ａとリブとの当接によりサイクロン集塵部３の収納が妨げられる。従って、フィルターケース３４の装着忘れを防止することができる。
【００４３】
上記構成の縦型電気掃除機１において、延長パイプ６を本体部４に装着した状態で電動送風機２が駆動されると、吸込口体５の吸気口から塵埃とともに空気が吸い込まれる。吸気口から吸い込まれた空気は気流路４ａを流通し、空気流入口３１ａを介してサイクロン集塵部３の集塵容器３１に流入する。
【００４４】
空気流入口３１ａから集塵容器３１に流入した空気は集塵容器３１内で旋回気流となり、遠心力によって塵埃が分離して集塵容器３１内に堆積する。集塵容器３１内で塵埃が除去された空気は矢印Ａ（図８参照）に示すように排気口３５ａを介して内筒３５を上昇し、フィルター３３によって微細な塵埃が捕集される。フィルター３３で塵埃が捕集された空気は空気流出口３４ａから流出し、連通孔を介して電動送風機２が配される室内を通って排気口（不図示）から排気される。これにより、床面の掃除が行われる。
【００４５】
この時、延長パイプ６と延長パイプ収納部４ｆ内面との間はパッキン（不図示）によりシールされており、延長パイプ収納部４ｆと気流路４ｂとの間に気流が流通しない。これにより、縦型電気掃除機１の仕事率低下が防止される。
【００４６】
フック１１の操作によって延長パイプ６を本体部４から脱着すると、図１７に示すように延長パイプ６の先端から伸長パイプ６ｃが引き出される。電動送風機２を駆動すると伸長パイプ６ｃの先端から塵埃とともに空気が吸い込まれる。伸長パイプ６ｃから吸い込まれた空気は延長パイプ６の気流路６ｄ、６ｅ、中間ホース１０、接続ホース７を流通し、気流路４ｂを介してサイクロン集塵部３に流入する。
【００４７】
これにより、図１８に示すように室内の上方に配される空気調和機、天井、家具の隙間等の掃除を楽に行うことができる。また、フック１２の操作によって延長パイプ６の上部６ｂを分離すると、図１９に示すように机上等の掃除を楽に行うことができる。
【００４８】
集塵容器３１内に塵埃が溜まると把手３ｂを把持して収納室４ｇからサイクロン集塵部３が取り出される。そして、容器カバー３２と集塵容器３１とを分離して集塵容器３１内に堆積した塵埃が廃棄される。また、ロック部材３６を非ロック位置に配してフィルターケース３４を容器カバー３２から脱着し、フィルターケース３４から取り出されたフィルター３３が清掃される。これにより、フィルター３３の目詰まりによる集塵力の低下を回復することができる。
【００４９】
本実施形態によると、サイクロン集塵部３を収納室４ｇ内に収納したのでサイクロン集塵部３が露出せずに縦型電気掃除機１の美感が向上する。また、連通孔を有する収納室４ｇの上壁と、空気流出口３４ａを有するサイクロン集塵部３の上面とは後方が下がる傾斜面から成る。このため、両者間の摺動摩擦が発生せずにサイクロン集塵部３を着脱し、収納完了時にこれらを密着させることができる。従って、サイクロン集塵部３を容易に着脱することができる。
【００５０】
加えて、フィルター３３の弾性力に抗してフィルターケース３４を下げた状態に維持するロック部材３６を容器カバー３２の後部に設けたので、フィルター３３と容器カバー３２とを簡単に密着して塵埃の流出を防止することができる。これにより、フィルター３３を清掃する際にフィルターケース３４の着脱を容易に行うことができ、縦型電気掃除機１の利便性が向上する。また、ロック部材３６によりフィルターケース３４の後部を下げて容易にサイクロン集塵部３を収納室に挿入することができるとともに、後部に設けたロック部材３６が露出せず美観の低下を防止することができる。
【産業上の利用可能性】
【００５１】
本発明によると、サイクロン集塵部を内装した本体部の下方に吸込口体を有する縦型電気掃除機に利用することができる。
【図面の簡単な説明】
【００５２】
【図１】本発明の実施形態の縦型電気掃除機を示す斜視図
【図２】本発明の実施形態の縦型電気掃除機を示す正面図
【図３】本発明の実施形態の縦型電気掃除機を示す側面断面図
【図４】本発明の実施形態の縦型電気掃除機の延長パイプを脱着した状態を示す斜視図
【図５】本発明の実施形態の縦型電気掃除機の延長パイプを分離した状態を示す斜視図
【図６】本発明の実施形態の縦型電気掃除機のサイクロン集塵部を示す斜視図
【図７】本発明の実施形態の縦型電気掃除機のサイクロン集塵部を示す分解斜視図
【図８】本発明の実施形態の縦型電気掃除機のサイクロン集塵部を示す側面断面図
【図９】図２のＣ−Ｃ断面図
【図１０】本発明の実施形態の縦型電気掃除機のサイクロン集塵部の集塵容器と容器カバーとを分離した状態を示す背面図
【図１１】本発明の実施形態の縦型電気掃除機のサイクロン集塵部の非ロック位置のロック部材を正面に見たサイクロン集塵部の背面図
【図１２】ロック部材を非ロック位置に配した状態の図９におけるＤ−Ｄ断面図
【図１３】本発明の実施形態の縦型電気掃除機のサイクロン集塵部のロック位置のロック部材を正面に見たサイクロン集塵部の背面図
【図１４】ロック部材をロック位置に配した状態の図９におけるＤ−Ｄ断面図
【図１５】ロック部材を非ロック位置に配した状態の図８におけるＢ部詳細図
【図１６】ロック部材をロック位置に配した状態の図８におけるＢ部詳細図
【図１７】本発明の実施形態の縦型電気掃除機の延長パイプから伸長パイプを引き出した状態を示す斜視図
【図１８】本発明の実施形態の縦型電気掃除機の延長パイプを脱着して掃除を行う状態を示す斜視図
【図１９】本発明の実施形態の縦型電気掃除機の延長パイプを分離して掃除を行う状態を示す斜視図
【符号の説明】
【００５３】
１    縦型電気掃除機
２    電動送風機
３    サイクロン集塵部
４    本体部
４ｇ  収納室
５    吸込口体
６    延長パイプ
６ａ  上部
６ｂ  下部
６ｃ  伸長パイプ
７    接続ホース
８    把持部
９    可動部
９ｂ  上支持部
１０    中間ホース
２０    掛止部
３１    集塵容器
３１ａ  空気流入口
３２    容器カバー
３２ａ  嵌合部
３２ｂ  リブ
３２ｃ  凹部
３３    フィルター
３４    フィルターケース
３４ａ  空気流出口
３４ｂ  段部
３４ｃ  凸部
３５    内筒
３６    ロック部材
３６ａ  ツマミ
３６ｂ  傾斜面
【図１】
2008161504.tif 000003
【図２】
2008161504.tif 000004
【図３】
2008161504.tif 000005
【図４】
2008161504.tif 000006
【図５】
2008161504.tif 000007
【図６】
2008161504.tif 000008
【図７】
2008161504.tif 000009
【図８】
2008161504.tif 000010
【図９】
2008161504.tif 000011
【図１０】
2008161504.tif 000012
【図１１】
2008161504.tif 000013
【図１２】
2008161504.tif 000014
【図１３】
2008161504.tif 000015
【図１４】
2008161504.tif 000016
【図１５】
2008161504.tif 000017
【図１６】
2008161504.tif 000018
【図１７】
2008161504.tif 000019
【図１８】
2008161504.tif 000020
【図１９】
2008161504.tif 000021